(57)【要約】【課題】使用の許可されている者が容易に当該装置を使用できる一方、使用の許可されていない者による装置の無断使用を回避できるハンズフリー通話装置を提供する。【解決手段】発信先端末との間で通信を行う発信元端末と信号の送受信を行う送受信部１９を備え、前記発信元端末を制御することで前記発信先端末とのハンズフリー通話を実現するハンズフリー通話装置１１において、前記発信元端末の登録情報が記憶された登録情報記憶部１８と、当該ハンズフリー通話装置が起動されたとき、前記送受信部１９を介して前記発信元端末の端末情報を受信すると、受信した該端末情報と前記登録情報とを比較し、前記発信元端末が前記登録情報が記憶された端末か否かを判定する登録端末判定部２９と、前記発信元端末が前記登録情報が記憶された端末であるとき、前記ハンズフリー通話装置１１の使用を許可する使用許可処理部３０と、を備える。【選択図】図２
2012227596.tif 000002
【特許請求の範囲】
【請求項１】
発信先端末との間で通信を行う発信元端末と信号の送受信を行う送受信部を備え、前記発信元端末を制御することで前記発信先端末とのハンズフリー通話を実現するハンズフリー通話装置において、
前記発信元端末の登録情報が記憶された登録情報記憶部と、
当該ハンズフリー通話装置が起動されたとき、前記送受信部を介して前記発信元端末の端末情報を受信すると、受信した該端末情報と前記登録情報とを比較し、前記発信元端末が前記登録情報が記憶された端末か否かを判定する登録端末判定部と、
前記発信元端末が前記登録情報が記憶された端末であるとき、前記ハンズフリー通話装置の使用を許可する使用許可処理部と、
を備えることを特徴とするハンズフリー通話装置。
【請求項２】
請求項１記載のハンズフリー通話装置において、
認証パスワードが記憶された認証パスワード記憶部と、
前記登録端末判定部により、前記発信元端末が前記登録情報が記憶された端末でないと判定されたとき、パスワードの入力を指示するパスワード入力指示部と、
入力された前記パスワードと、前記認証パスワード記憶部に記憶された前記認証パスワードとを比較し、前記パスワードと前記認証パスワードとが一致するか否かを判定するパスワード判定部と、
を備え、
前記パスワード判定部により、前記パスワードと前記認証パスワードとが一致すると判定されたとき、前記使用許可処理部は、前記ハンズフリー通話装置の使用を許可することを特徴とするハンズフリー通話装置。
【請求項３】
請求項１又は２記載のハンズフリー通話装置において、
前記ハンズフリー通話装置は、車両に搭載されるナビゲーション装置であることを特徴とするハンズフリー通話装置。
【発明の詳細な説明】
【技術分野】
【０００１】
本発明は、発信先端末との間で通信を行う発信元端末と信号の送受信を行う送受信部を備え、前記発信元端末を制御することで前記発信先端末とのハンズフリー通話を実現するハンズフリー通話装置に関する。
【背景技術】
【０００２】
近年、携帯電話機の著しい普及乃至高機能化に伴い、歩行中に携帯電話機を使用するだけでなく、車両による移動中やパソコンでの作業中に携帯電話機を使用する状況が増加している。しかしながら、特に車両による移動中にドライバが携帯電話機を使用することは、安全面において非常に問題であり、従って、法令により禁止事項とされている。
【０００３】
そこで、このような状況に対応するため、ハンズフリーの状態で通話を行うことのできるハンズフリー通話装置が開発されている。例えば、下記特許文献１（特開２００２−２２３２８８号公報）には、車両に搭載可能なハンズフリー通話装置が開示されている。このハンズフリー通話装置では、携帯電話機の電話番号を用いて複数の携帯電話機をハンズフリー通話用の携帯電話機として登録し、いずれかの携帯電話機に着信があったとき、登録されている携帯電話機の１つを選択してハンズフリー通話を行うことができる。
【０００４】
ところで、このようなハンズフリー通話装置には、登録されている携帯電話機に関する情報、例えば、アドレス帳等の個人情報が記録されているため、登録されている携帯電話機を所持している正規の利用者以外の者がハンズフリー通話装置を自由に起動できてしまうと、個人情報を第三者に見られてしまうおそれがある。
【０００５】
このような不具合を回避するため、例えば、下記特許文献２（特開平９−３５３６１号公報）に開示されている盗難防止装置では、予め設定されている暗唱番号とキーにより入力された暗唱番号とを照合し、これらが一致した場合にのみ、装置の通常動作禁止状態を解除するように構成している。
【先行技術文献】
【特許文献】
【０００６】
【特許文献１】特開２００２−２２３２８８号公報（段落［００２２］、［００３６］〜［００３８］）
【特許文献２】特開平９−３５３６１号公報（段落［０００６］）
【発明の概要】
【発明が解決しようとする課題】
【０００７】
しかしながら、上記特許文献２に開示された発明によれば、情報漏洩に対する安全性は確保されるものの、例えば、当該装置の正規の利用者であっても、暗唱番号を入力しなければ使用できないため、取り扱いが非常に面倒であるという問題がある。
【０００８】
本発明は、上記の問題点を解消することを課題とするものであり、使用の許可されている者が容易に当該装置を使用できる一方、使用の許可されていない者による装置の無断使用を回避できるハンズフリー通話装置を提供することを目的とするものである。
【課題を解決するための手段】
【０００９】
前記課題を解決するために、本願の請求項１にかかる発明は、発信先端末との間で通信を行う発信元端末と信号の送受信を行う送受信部を備え、前記発信元端末を制御することで前記発信先端末とのハンズフリー通話を実現するハンズフリー通話装置において、前記発信元端末の登録情報が記憶された登録情報記憶部と、当該ハンズフリー通話装置が起動されたとき、前記送受信部を介して前記発信元端末の端末情報を受信すると、受信した該端末情報と前記登録情報とを比較し、前記発信元端末が前記登録情報が記憶された端末か否かを判定する登録端末判定部と、前記発信元端末が前記登録情報が記憶された端末であるとき、前記ハンズフリー通話装置の使用を許可する使用許可処理部と、を備えることを特徴とする。
【００１０】
本願の請求項２にかかる発明は、請求項１記載のハンズフリー通話装置において、認証パスワードが記憶された認証パスワード記憶部と、前記登録端末判定部により、前記発信元端末が前記登録情報が記憶された端末でないと判定されたとき、パスワードの入力を指示するパスワード入力指示部と、入力された前記パスワードと、前記認証パスワード記憶部に記憶された前記認証パスワードとを比較し、前記パスワードと前記認証パスワードとが一致するか否かを判定するパスワード判定部と、を備え、前記パスワード判定部により、前記パスワードと前記認証パスワードとが一致すると判定されたとき、前記使用許可処理部は、前記ハンズフリー通話装置の使用を許可することを特徴とする。
【００１１】
本願の請求項３にかかる発明は、請求項１又は２記載のハンズフリー通話装置において、前記ハンズフリー通話装置は、車両に搭載されるナビゲーション装置であることを特徴とする。
【発明の効果】
【００１２】
請求項１にかかる発明においては、発信元端末から受信した端末情報を、予め登録されている登録情報と比較し、これらの情報が一致若しくは所定の関係にあると判定されたとき、ハンズフリー通話装置の使用を許可することにより、使用が許可されている者が容易に当該装置を使用できる一方、使用が許可されていない者による装置の無断使用を回避することができる。
【００１３】
請求項２にかかる発明においては、請求項１にかかる発明において、発信元端末が登録端末でない場合であっても、認証されたパスワードを入力することにより、ハンズフリー通話装置を使用することができる。
【００１４】
請求項３にかかる発明においては、請求項１又は２にかかる発明において、ハンズフリー通話装置は、車両に搭載されたナビゲーション装置とすることができる。
【図面の簡単な説明】
【００１５】
【図１】本発明の実施例にかかる車両に搭載されるハンズフリー通話装置の説明図である。
【図２】本発明の実施例にかかるハンズフリー通話装置の構成ブロック図である。
【図３】本発明の実施例にかかるハンズフリー通話装置により制御される携帯電話機の構成ブロック図である。
【図４】本発明の実施例にかかるハンズフリー通話装置の動作フローチャートである。
【図５】本発明の実施例にかかるハンズフリー通話装置におけるメニュー画面の説明図である。
【図６】本発明の実施例にかかるハンズフリー通話装置に登録されている携帯電話機の登録画面の説明図である。
【図７】本発明の実施例にかかるハンズフリー通話装置におけるパスワード入力画面の説明図である。
【発明を実施するための形態】
【００１６】
以下、本発明の具体例を実施例及び図面を用いて詳細に説明する。但し、以下に示す実施形態は、本発明の技術的思想を具体化するためのハンズフリー通話装置を例示するものであって、本発明をこのハンズフリー通話装置に特定することを意図するものではなく、特許請求の範囲に含まれるその他の実施形態のハンズフリー通話装置にも等しく適応し得るものである。
【実施例】
【００１７】
図１は、本発明の実施例にかかるハンズフリー通話装置の説明図である。ハンズフリー通話装置は、車両１０に搭載されるナビゲーション装置１１（ハンズフリー通話装置）であり、ナビゲーション装置１１を介して、複数台の携帯電話機１２ａ、１２ｂ(発信元端末)から選択された１台と、外部の携帯電話機１３（発信先端末）とが通信可能となる。なお、携帯電話機１２ａ、１２ｂは、車両１０に持ち込まれた発信元端末とする。
【００１８】
また、本実施例においては、複数台の携帯電話機１２ａ、１２ｂを発信元端末と称し、外部の携帯電話機１３を発信先端末と称して説明を行うが、携帯電話機１３から複数台の携帯電話機１２ａ、１２ｂに対し発信を行う場合においては、当然のことながら、携帯電話機１３が発信元端末となり、逆に携帯電話機１２ａ、１２ｂが発信先端末となる。
【００１９】
図２は、ナビゲーション装置１１の構成ブロック図であり、図３は、ナビゲーション装置１１に接続可能な携帯電話機１２ａ、１２ｂの構成ブロック図である。
【００２０】
ナビゲーション装置１１は、車両１０の現在位置を検出して地図画像とともに表示部２０に表示することで、利用者が目的地まで移動するための支援を行う機能を備えるとともに、車両１０に持ち込まれた携帯電話機１２ａ、１２ｂのうち何れかを選択して、ハンズフリーによる通話制御を行う機能を備えたハンズフリー通話装置である。
【００２１】
ナビゲーション装置１１は、制御部１４、認証パスワード記憶部１５、ナビゲーションデータ供給部１６、アドレス情報記憶部１７、端末登録情報記憶部１８、近距離無線通信部１９、操作部２０、表示部２１、マイク２２およびスピーカ２３を含んで構成される。
【００２２】
認証パスワード記憶部１５は、ナビゲーション装置１１の使用を正規の利用者にのみ許可するための認証パスワードが記憶された記憶媒体である。なお、認証パスワード記憶部１５に記憶された認証パスワードは、工場出荷時に設定されるものでもよく、また、ユーザにより設定変更可能なものであってもよい。
【００２３】
ナビゲーションデータ供給部１６は、地球上空を周回している複数のＧＰＳ衛星からの信号を所定の時間間隔で受信し、この信号に含まれている時刻情報及び衛星位置情報に基づいて車両１０の現在位置を検出する現在位置検出部２４と、自律航法装置を構成するジャイロスコープ２５、加速度センサ２６および速度センサ２７と、地図情報が記憶された記憶媒体である地図情報記憶部２８とを備える。
【００２４】
地図情報記憶部２８は、道路データ、建物データ、背景データ及びテキストデータから構成される地図情報が記憶された記憶媒体である。道路データは、道路をその屈曲点、分岐点等の結節点をノードとするノードデータと、それぞれのノード間を結ぶ経路をリンクとしたリンクデータとから構成される。ノードデータは、ノード番号、ノードの位置座標、交差点情報や交差点名称を示す情報等のノード属性、接続リンク本数、接続リンク番号のデータを含んで構成される。リンクデータは、リンクの始点及び終点となるノード番号、高速道路や一般道や街路等を区別するための道路種別、それぞれの道路の本線や連結路、分岐路を区別するための道路種別、距離及び／または所要時間、国道○号線のような道路名称、進行方向のデータを含んで構成される。リンクデータには、上記に加えて、リンク属性として、橋、トンネル、踏切、料金所等のデータが付与される。建物データは、建物の位置座標、駅、ビル、民家等の建物の種別、表示色のデータを含んで構成される。背景データは、海岸線、湖沼、河川形状、山林等の背景画像データとなる位置座標、表示色のデータを含んで構成される。テキストデータは、それぞれの地名や河川名等の文字（名称）、及びその座標のデータを含んで構成される。
【００２５】
アドレス情報記憶部１７は、ナビゲーション装置１１に接続可能な携帯電話機１２ａ、１２ｂが所有するアドレス情報が記憶された記憶媒体である。アドレス情報とは、発信先端末である携帯電話機１３の電話番号等の情報であり、発信の際に所望の発信先を選択するために用いられる。従って、アドレス情報記憶部１７には、発信先端末である携帯電話機１３の所有者の名前、電話番号、所有者を分類するグループ、発信先端末の通信キャリア等が記憶される。
【００２６】
端末登録情報記憶部１８は、ナビゲーション装置１１に登録された接続可能（ハンズフリー通話可能）な携帯電話機１２ａ、１２ｂにかかる登録情報が記憶された記憶媒体である。なお、登録情報とは、ナビゲーション装置１１と接続可能な携帯電話機１２ａ、１２ｂを特定して認証することのできる情報であり、例えば、各携帯電話機１２ａ、１２ｂが有する固有の端末情報（例えば、ＩＤ情報や電話番号）である。
【００２７】
上述したとおり、ナビゲーション装置１１を介してハンズフリー通話を可能とするためには、携帯電話機１２ａ、１２ｂを事前にナビゲーション装置１１に登録する必要がある。その理由について、以下説明する。
【００２８】
ハンズフリー機能を有したナビゲーション装置１１は、車両１０のエンジンの始動動作に伴いナビゲーション装置１１が起動されると、常時、周辺機器（携帯電話機１２ａ、１２ｂ）から送信される信号を待ち受ける状態となり（周辺機器の存在を監視する状態）、また、ハンズフリー機能を有した携帯電話機１２ａ、１２ｂにおいては、ハンズフリー機能の設定がＯＮ（ユーザによる任意設定）の状態であれば、常時、周辺に対して信号を送信し続ける。従って、ハンズフリー機能の設定がＯＮ状態である携帯電話機１２ａ、１２ｂが、ハンズフリー機能を有したナビゲーション装置１１の近辺（例えば、車両１０内）にある場合、ナビゲーション装置１１は、この携帯電話機１２ａ、１２ｂの存在を検知することができる。そして、近辺にある携帯電話機１２ａ、１２ｂに対して外部の携帯電話機１３から着信があった場合、携帯電話機１２ａ、１２ｂとの間でハンズフリー接続を行い、ハンズフリー通話を開始することが可能となるが、このとき、接続された携帯電話機１２ａ、１２ｂのユーザにハンズフリー通話を行う意思がない場合にハンズフリー通話が開始されてしまうと、聞かれたくない会話も近辺の人（例えば、車の同乗者）に聞かれてしまうという問題も生じる。
【００２９】
そのため、ナビゲーション装置１１を介したハンズフリー通話を行う意思があるユーザについては、予め、所有する携帯電話機１２ａ、１２ｂをナビゲーション装置１１に対して登録を行い、登録された携帯電話機１２ａ、１２ｂへの着信時のみハンズフリー通話を許可する仕組みとなっている。
【００３０】
図６は、ナビゲーション装置１１に登録されている４台の携帯電話機にかかる登録一覧の画面を示す。端末登録情報記憶部１８には、発信元端末である携帯電話機、電話番号、携帯電話機がナビゲーション装置１１に接続されているか否かを示す接続有無、携帯電話機のキャリア等が記憶される。
【００３１】
近距離無線通信部１９（送受信部）は、車両１０に持ち込まれた携帯電話機１２ａ、１２ｂとの間で無線通信を行うための通信手段であり、制御部１４の制御に基づき、携帯電話機１２ａ、１２ｂからアドレス情報を含む登録情報を取得するとともに、携帯電話機１２ａ、１２ｂを介して、外部の携帯電話機１３と通話のための音声情報の送受信を行うものである。近距離無線通信部１９には、例えば、ブルートゥース技術を利用することができる。
【００３２】
ここで、近距離無線通信部１９を介して携帯電話機１２ａ、１２ｂから取得する登録情報とは、ナビゲーション装置１１と接続可能な携帯電話機１２ａ、１２ｂを特定して認証することのできる情報であり、例えば、各携帯電話機１２ａ、１２ｂが有する固有の端末情報（例えば、ＩＤ情報や電話番号）である。
【００３３】
操作部２０は、ナビゲーション装置１１の各種操作、例えば、経路探索のための出発地、目的地、経由地等の経路探索条件の入力に用いられる手段、携帯電話機１２ａ、１２ｂから必要な情報を取得するための指示入力に用いられる手段、携帯電話機１２ａ、１２ｂの登録情報の設定に用いられる手段、ハンズフリー通話に使用する携帯電話機１２ａ、１２ｂの選択に用いられる手段等として機能するものであり、例えば、キーやタッチパネルから構成される。
【００３４】
表示部２１は、後述する表示制御部３３の制御に基づき、車両１０の現在位置、地図画像、案内経路等が表示される手段、操作部２０を用いた作業に必要な操作画像が表示される手段であり、また、表示部２１は、表面にタッチパネルセンサを設けることでパスワードの入力指示に用いられる手段（操作部２０としても機能）として機能するものであり、例えば、液晶表示パネルから構成される。
【００３５】
マイク２２は、ナビゲーション装置１１に対して音声による指示入力を行う際に用いられる手段であり、また、携帯電話機１２ａ、１２ｂを介して発信先端末である携帯電話とハンズフリー通話を行う際、通話にかかる音声入力に用いられる手段である。また、スピーカ２３は、経路案内情報にかかる音声情報を出力するとともに、携帯電話機１２ａ、１２ｂを介して発信先端末である携帯電話機１３からの音声を出力する手段である。
【００３６】
制御部１４は、ナビゲーション装置１１の各部の動作を制御・統括するものであり、登録端末判定部２９、使用許可処理部３０、パスワード判定部３１、ナビゲーション処理部３２および表示制御部３３を備えて構成される。なお、制御部１４を構成する上記各構成部は、図示しないＲＯＭ及び／又はＲＡＭに記憶された制御プログラムを図示しないＣＰＵが実行することで実現するソフトゥエア処理部である。以下に、制御部１４を構成する各構成部について詳細に説明を行う。
【００３７】
登録端末判定部２９は、ナビゲーション装置１１の近辺（例えば、車両１０内）にある携帯電話機１２ａ、１２ｂから送信された端末情報と、端末登録情報記憶部１８に記憶されている登録情報とを比較し、携帯電話機１２ａ、１２ｂが登録情報の記憶されている登録端末であるか否かを判定する。
【００３８】
使用許可処理部３０は、ナビゲーション装置１１を使用しようとするユーザに対して、ナビゲーション装置１１の使用を許可する処理を行う。この使用を許可する処理の詳細については、後述する。
【００３９】
パスワード判定部３１は、ナビゲーション装置１１を使用しようとしている者が操作部２０から入力したパスワードと、認証パスワード記憶部１５に予め登録されている認証パスワードとを比較し、これらが一致するか否かの判定を行う。
【００４０】
ナビゲーション処理部３２は、ナビゲーションデータ供給部１６から供給されたデータと、操作部２０を介して使用者によって入力された経路探索条件と、地図情報記憶部２８に記憶されている地図情報とに基づき、最適な経路（案内経路）を探索するものである。ナビゲーション処理部３２は、出発地または現在位置に対応する道路のノードから目的地に対応するノードに至るまでのリンクをダイクストラ法等の手法によって探索し、リンク長（リンクコスト）や所要時間を累積し、総リンク長（走行距離）または総所要時間が最短となる経路を案内経路として探索する。なお、ナビゲーション処理部３２は、外部の情報提供サーバから通信手段を介して地図情報を取得し、経路探索を行うものであってもよい。また、地図情報とともに経路探索部を外部の情報提供サーバに設置し、ナビゲーション装置１１が外部から案内経路を取得するように構成することもできる。
【００４１】
表示制御部３３は、探索された経路を表示部２１に表示する制御を行うとともに、ハンズフリー通話を行う際に、例えば、図５に示すハンズフリーメニュー画面や、必要に応じて、図７に示すパスワード入力画面４２を表示する制御を行う。
【００４２】
図３は、ナビゲーション装置１１に接続される携帯電話機１２ａ、１２ｂの構成ブロック図であり、制御部３４、操作部３５、表示部３６、マイク３７、スピーカ３８、通話送受信部３９、近距離無線通信部４０およびアドレス帳記憶部４１を含んで構成される。
【００４３】
制御部３４は、携帯電話機１２ａ、１２ｂの各部の動作を制御・統括する。
【００４４】
操作部３５は、携帯電話機１２ａ、１２ｂの各種操作、例えば、発信先端末である携帯電話機１３の電話番号入力に用いられる手段、ナビゲーション装置１１に対してアドレス情報の送信を指示する際に用いられる手段等として機能するものであり、例えば、キーやタッチパネルから構成される。
【００４５】
表示部３６は、制御部３４の制御に基づき、操作部３４を用いた作業に必要な操作画像が表示される手段等として機能するものであり、例えば、液晶表示パネルから構成される。マイク３７は、発信先端末である携帯電話機１３と通話を行う際に用いられる手段であり、スピーカ３８は、発信先端末である携帯電話機１３からの音声を出力する手段である。
【００４６】
通話送受信部３９は、外部の携帯電話機１３と通話のための信号の送受信を行うものである。
【００４７】
近距離無線通信部４０は、ナビゲーション装置１１との間で無線通信を行うための通信手段であり、制御部３４の制御に基づき、携帯電話機１２ａ、１２ｂのアドレス情報を含む登録情報をナビゲーション装置１１に送信するものである。なお、登録情報とは、ナビゲーション装置１１と接続可能な携帯電話機１２ａ、１２ｂを特定して認証することのできる情報であり、例えば、各携帯電話機１２ａ、１２ｂが有する固有の端末情報（ＩＤ情報）である。また、近距離無線通信部４０は、ナビゲーション装置１１との間で通話のための音声情報の送受信を行うものである。近距離無線通信部４０には、例えば、ブルートゥース技術を利用することができる。
【００４８】
アドレス帳記憶部４１は、各携帯電話機１２ａ、１２ｂに登録されているアドレス情報が記憶された記憶媒体である。
【００４９】
次に、以上のように構成されるハンズフリー通話装置であるナビゲーション装置１１の動作を、図４に示すフローチャートに従って説明する。
【００５０】
利用者が車両１０に乗車し、例えば、エンジンの始動操作を行うことでナビゲーション装置１１が起動されると、制御部１４における登録端末判定部２９は、近距離無線通信部１９を介して、ナビゲーション装置１１の周辺にある端末（例えば、車両１０内に持ち込まれた携帯電話機１２ａ、１２ｂ）からの信号の有無を調べる（ステップＳ１０１）。周辺端末から信号を受信した場合（ステップＳ１０１：ＹＥＳ）、その信号に含まれる周辺端末の端末情報と、端末登録情報記憶部１８に記憶されている携帯電話機１２ａ、１２ｂの登録情報とを比較し、周辺端末からの信号が、端末登録情報記憶部１８に登録されている携帯電話機１２ａ、１２ｂからの信号であるか否かを判定する（ステップＳ１０２）。
【００５１】
この場合、端末情報に含まれる周辺端末を特定する情報、例えば、電話番号と、登録情報として記憶されている携帯電話機１２ａ、１２ｂの電話番号とが一致すると、登録端末判定部２９は、当該周辺端末がナビゲーション装置１１に登録されている携帯電話機１２ａ、１２ｂであると判定する（ステップＳ１０２：ＹＥＳ）。次いで、この判定結果に基づき、使用許可処理部３０は、当該周辺端末を所有して車両１０に乗車した者がナビゲーション装置１１を利用できる正規の利用者であると判断する。制御部１４は、使用許可処理部３０による使用許可に従い、操作部２０を介して操作指示される種々の指示を受け付け可能な状態とする（ステップＳ１０７）。
【００５２】
一方、周辺端末から受信した端末情報と、端末登録情報記憶部１８に記憶されている登録情報とが一致しない場合（ステップＳ１０２：ＮＯ）、または、周辺端末から信号を受信できない場合（ステップＳ１０１：ＮＯ）、表示制御部３３は、表示部２１に、例えば、図７に示すパスワード入力画面４２を表示する制御を行う（ステップＳ１０３）。
【００５３】
そこで、操作部２０（タッチパネル等）を用いて、利用者がパスワードを入力し（ステップＳ１０４：ＹＥＳ）、「認証」ボタン４３を操作すると（ステップＳ１０５）、パスワード判定部３１は、入力されたパスワードと、認証パスワード記憶部１５に予め記憶されている認証パスワードとを比較する（ステップＳ１０６）。なお、利用者が所定の桁数のパスワードを入力した時点で、「認証」のボタン４３を操作することなく、パスワードの判定処理を行うようにしてもよい。
【００５４】
パスワードと認証パスワードとが一致した場合（ステップＳ１０６：ＹＥＳ）、使用許可処理部３０は、パスワードを入力した当該利用者がナビゲーション装置１１を利用できる正規の利用者であると判断する。制御部１４は、使用許可処理部３０による使用許可に従い、操作部２０を介して種々の指示を受け付け可能な状態とするステップＳ１０７）。
【００５５】
一方、パスワードと認証パスワードとが一致しない場合には（ステップＳ１０６：ＮＯ）、パスワードを入力した者がナビゲーション装置１１を利用できない者、例えば、ナビゲーション装置１１に不正アクセスを試みようとしている者であると判断し、ナビゲーション装置１１を使用できない状態とする。例えば、ナビゲーション装置１１に対するあらゆる操作も受け付けない状態とし、または、パスワードの入力に対して、表示部２１にエラーメッセージを表示させ、または、表示部２１の表示を暗くする等の処理により、利用者に対してナビゲーション装置１１を使用できないことを報知するようにすることができる。
【００５６】
ステップＳ１０７において、ナビゲーション装置１１が、操作部２０を介して種々の指示を受け付け可能な状態になると、利用者は、例えば、ナビゲーション装置１１を用いて、所持する携帯電話機１２ａ、１２ｂを用いたハンズフリー通話を行うことができる。なお、ハンズフリー通話を行うためには、携帯電話機１２ａ、１２ｂのハンズフリーの機能設定がＯＮ状態（例えば、ｂｌｕｅｔｏｏｔｈ設定がＯＮの状態）に設定されており、携帯電話機１２ａ、１２ｂの近距離無線通信部４０と、ナビゲーション装置１１の近距離無線通信部１９とが通信可能な状態になっている必要がある。
【００５７】
ハンズフリー通話を行う場合、ナビゲーション装置１１の表示部２１には、図５に示すハンズフリーメニュー画面が表示される。そこで、この画面から、登録されている「電話１」又は「電話２」のボタンを選択して発信元端末となる携帯電話機１２ａ、１２ｂを決定する。次いで、「ダイヤル」のボタンを選択して発信先端末である外部の携帯電話機１３の電話番号を直接入力し、あるいは、「アドレス帳」のボタンを選択した後、アドレス情報記憶部１７からアドレス情報を読み出して表示部２１に表示させ、外部の携帯電話機１３の電話番号を選択し、ハンズフリー通話を開始する。
【００５８】
ナビゲーション装置１１のマイク２２に入力された利用者の音声は、近距離無線通信部１９から選択された携帯電話機１２ａ、１２ｂの近距離無線通信部４０に音声信号として送信された後、通話送受信部３９から外部の携帯電話機１３に送信される。一方、外部の携帯電話機１３からの音声信号は、携帯電話機１２ａ、１２ｂの通話送受信部３９で受信された後、近距離無線通信部４０からナビゲーション装置１１の近距離無線通信部１９に送信され、次いで、ナビゲーション装置１１のスピーカ２３から出力される。
【００５９】
また、ステップＳ１０７において、ナビゲーション装置１１が、操作部２０を介して種々の指示を受け付け可能な状態になると、利用者は、例えば、ナビゲーション装置１１を用いて、経路探索処理を行うことができる。
【００６０】
例えば、利用者が、操作部２０を介して出発地、経由地及び目的地を入力すると、ナビゲーション処理部３２は、地図情報記憶部２８に記憶されている地図情報に基づき、出発地から経由地を経由して目的地までの最適な案内経路を探索し、その案内経路を地図画像とともに表示部２１に表示する。また、表示部２１には、現在位置検出部２４により検出された車両１０の現在位置が案内経路とともに表示される。利用者は、表示されたこれらの情報に従い、目的地まで容易に移動することが可能となる。なお、車両１０の現在位置は、自律航法装置を構成するジャイロスコープ２５、加速度センサ２６および速度センサ２７から取得した情報に基づいて、算出するようにしてもよい。
【００６１】
次に、ナビゲーション装置１１の周辺端末から信号が受信できなくなった場合（ステップＳ１０８：ＹＥＳ）、例えば、利用者が携帯電話機１２ａ、１２ｂの電源をＯＦＦにした場合、または、当該利用者が携帯電話機１２ａ、１２ｂを持ったまま車両１０から降車したような場合には、使用許可処理部３０は、ナビゲーション装置１１の操作部２０を指示を受け付けない状態にする（ステップＳ１０９）。これにより、正規の利用者が不在の間に、利用が許可されていない者がナビゲーション装置１１に不正アクセスしてしまう事態を回避することができる。
【００６２】
また、周辺端末からの信号が遮断されない場合には（ステップＳ１０８：ＮＯ）、ナビゲーション装置１１の電源がＯＦＦとされるまで現在の状態を継続させ（ステップＳ１１０：ＮＯ）、ステップＳ１０１からの処理を繰り返す。
【００６３】
なお、本発明は、上述した実施例に限定されるものではなく、本発明の要旨を逸脱しない範囲で変更することが可能である。
【００６４】
例えば、ハンズフリー通話装置としては、車両１０に搭載されるナビゲーション装置１１に限られるものではなく、周辺端末と通信可能なものであれば、パソコンを含む種々の装置を適用することができる。また、ハンズフリー通話装置に接続される周辺端末としては、外部の端末と通信可能なものであれば、携帯電話機１２ａ、１２ｂ以外の通信機器であってもよい。
【符号の説明】
【００６５】
１０・・・車両
１１・・・ナビゲーション装置
１２ａ、１２ｂ、１３・・・携帯電話機
１４、３４・・・制御部
１５・・・認証パスワード記憶部
１６・・・ナビゲーションデータ供給部
１７、４１・・・アドレス情報記憶部
１８・・・端末登録情報記憶部
１９、４０・・・近距離無線通信部
２０、３５・・・操作部
２１、３６・・・表示部
２２、３７・・・マイク
２３、３８・・・スピーカ
２４・・・現在位置検出部
２５・・・ジャイロスコープ
２６・・・加速度センサ
２７・・・速度センサ
２８・・・地図情報記憶部
２９・・・登録端末判定部
３０・・・使用許可処理部
３１・・・パスワード判定部
３２・・・ナビゲーション処理部
３３・・・表示制御部
４２・・・パスワード入力画面
４３・・・ボタン
【図１】
2012227596.tif 000003
【図２】
2012227596.tif 000004
【図３】
2012227596.tif 000005
【図４】
2012227596.tif 000006
【図５】
2012227596.tif 000007
【図６】
2012227596.tif 000008
【図７】
2012227596.tif 000009